(57)【要約】【課題】特別な照明装置を設けることなく、適切な顔面の撮像画像を容易に得る。【解決手段】顔面像撮像装置は、被撮像者の顔面の静止画像を撮像する撮像手段と、被撮像者の顔前に配置され撮像手段により撮像された静止画像を表示する液晶モニタと、撮像手段による静止画像の撮像の瞬間だけモニタの画面を明るくする制御手段とを備え、モニタを撮像時の照明装置として用いたことを特徴とする。さらに、撮像手段の撮像光路上には液晶モニタの画面から発せられる直線偏光と直交する偏光方向を持つ偏光フィルタを設けたことを特徴とする。【選択図】　　　図１
2004037550.tif 000002
【特許請求の範囲】
【請求項１】
被撮像者の顔面の静止画像を撮像する撮像手段と、被撮像者の顔前に配置され前記撮像手段により撮像された静止画像を表示するモニタと、前記撮像手段による静止画像の撮像の瞬間だけ前記モニタの画面を明るくする制御手段とを備え、前記モニタを撮像時の照明装置として用いたことを特徴とする顔面像撮像装置。
【請求項２】
請求項１の顔面像撮像装置において、前記モニタは直線偏光の光を発する液晶モニタであり、前記撮像手段の撮像光路上には前記液晶モニタの画面から発せられる直線偏光と直交する偏光方向を持つ偏光フィルタを設けたことを特徴とする顔面像撮像装置。
【請求項３】
請求項１の顔面像撮像装置において、静止画像の撮像の瞬間だけ前記モニタの画面を明るくするときの画面の色調又はその明るさの少なくとも一方を調整する調整手段を設けたことを特徴とする顔面像撮像装置。
【請求項４】
請求項１の顔面像撮像装置において、前記制御手段は、静止画像の撮像の瞬間だけ前記モニタの画面を明るくするときに、その画面に予め定められた図形を表示させることを特徴とする顔面像撮像装置。
【発明の詳細な説明】
【０００１】
【発明の属する技術分野】
本発明は、被撮像者の顔面を撮像し、撮像された顔の画像を表示する顔面撮像装置に関する。
【０００２】
【従来技術】
眼鏡店舗等において、顧客が眼鏡フレームを選択するときには、眼鏡フレームを実際に装用した状態を鏡に映して見て行うのが一般的であるが、顧客の裸眼視力が低いときや、複数の眼鏡フレームの装用状態を比較対照したいときは、適切でない場合がある。
そこで、眼鏡フレームを実際に装用した状態をテレビカメラで撮像し、その撮像した顧客の顔をモニタ上に映し出すことによって、眼鏡フレームの装用状態を顧客が観察することを可能にした装置が提供されている。
【０００３】
【発明が解決しようとする課題】
ところで、顧客の顔をテレビカメラで撮像する場合の照明としては、従来、電気スタンド、スポットライト、ストロボ等を用いるのが一般的であった。しかし、明るい光を常時照明するとまぶしいため、自然な表情での撮影が難しいし、撮影するカメラと照明が違った角度に配置されると、影ができてしまうことがあった。
また、ストロボ等の閃光を使った照明の場合、レンズの入った眼鏡フレーム（一般に、眼鏡店舗に用意されている眼鏡フレームには、反射防止膜が施されていないダミーレンズが入っている）をかけた人では、レンズの反射が映ることが多く、自然な画像を得るのが難しい。
さらに、撮影条件としては良くない店頭で画像を撮像するには、店舗や撮像対象となる顧客の顔の色などにより、照明を調整することが望ましいが、専用の照明装置やスタジオ並みの場所を用意することは現実的には難しい。
【０００４】
本発明は、上記従来技術の問題点に鑑み、特別な照明装置を設けることなく、適切な顔面の撮像画像を容易に得ることができる顔面撮像装置を提供することを技術課題とする。
【０００５】
【課題を解決するための手段】
上記課題を解決するために、本発明は以下のような構成を備えることを特徴とする。
（１）　被撮像者の顔面の静止画像を撮像する撮像手段と、被撮像者の顔前に配置され前記撮像手段により撮像された静止画像を表示するモニタと、前記撮像手段による静止画像の撮像の瞬間だけ前記モニタの画面を明るくする制御手段とを備え、前記モニタを撮像時の照明装置として用いたことを特徴とする。
（２）　（１）の顔面像撮像装置において、前記モニタは直線偏光の光を発する液晶モニタであり、前記撮像手段の撮像光路上には前記液晶モニタの画面から発せられる直線偏光と直交する偏光方向を持つ偏光フィルタを設けたことを特徴とする。
（３）　（１）の顔面像撮像装置において、静止画像の撮像の瞬間だけ前記モニタの画面を明るくするときの画面の色調又はその明るさの少なくとも一方を調整する調整手段を設けたことを特徴とする。
（４）　（１）の顔面像撮像装置において、前記制御手段は、静止画像の撮像の瞬間だけ前記モニタの画面を明るくするときに、その画面に予め定められた図形を表示させることを特徴とする。
【０００６】
【発明の実施の形態】
以下、本発明の実施形態を図面に基づいて説明する。図１は本発明に係る顔面撮像装置の外観略図であり、図２は顔面撮像装置のブロック構成図である。
顔面撮像装置１は、ＣＣＤ等の撮像素子及び撮像レンズを持つテレビカメラ部２と、テレビカメラ部２の撮像レンズの前側に配置された透過性を有する透過ミラー３と、テレビカメラ部２により撮像された画像を表示するカラーの液晶モニタ４と、テレビカメラ部２及び液晶モニタ４の画面表示を制御する制御ユニット５と、制御ユニット５に撮像の指令信号等を赤外信号に変えて送信するリモコン６と、リモコン６からの赤外信号を受信する受光ユニット７とを備える。
【０００７】
テレビカメラ部２は、液晶モニタ４の上部の左右中央に位置するように、液晶モニタ４の背後から伸びる支柱９に取り付けられている。また、テレビカメラ部２が持つ撮像レンズと透過ミラー３の間には、偏光フィルタ８が設けられている。一般的な液晶モニタには、その構造上、偏光フィルタが用いられており、液晶モニタの画面からは一定の方向に偏光特性を有する直線偏光の光が発せられる。偏光フィルタ８は、液晶モニタ４から発せられる光の偏光方向と直交する偏光方向を持つように配置されている。
【０００８】
制御ユニット５は、キーボードやマウスを備える市販のパーソナルコンピュータが使用できる。制御ユニット５は、テレビカメラ部２により撮像された画像の静止画像を記憶するメモリ５ａを備える。
このような装置１を使用するときは、まず、被撮像者である顧客Ｋは透過ミラー３に自分の顔が映るように位置する。これにより、顧客Ｋの顔はテレビカメラ部２の撮像光路に置かれると共に、液晶モニタ４の画面も顧客の顔前に位置することになる。透過ミラー３は、顧客Ｋがテレビカメラ部２を意識しなくてよいという特徴を持つと共に、目線をテレビカメラ部２に向けさせる役目も果たす。
【０００９】
顧客Ｋは透過ミラー３に映された顔の位置が適切になったら、リモコン６に配置された撮像ボタンを押す。制御ユニット５は、リモコン６からの画像取り込みの指令信号が受光ユニット７を介して入力されると、カメラ部２により撮像された画像を静止画像としてメモリ５ａに記憶させる。このとき、制御ユニット５は、静止画像をカメラ部２にて撮像する瞬間だけ液晶モニタ４の画面を明るくするように、液晶モニタ４の画面表示を切換える。例えば、全画面白い画面とすると、モニタ４からは輝度の高い白い光がストロボ的に発せられる。モニタ４のほぼ正面に位置する顧客Ｋの顔は、モニタ４から発せられた光により照明される。このためモニタ４は、撮像時の補助照明装置として使用される。
【００１０】
制御ユニット５は、メモリ５ａへの撮像画像の記憶ができると、モニタ４の表示を切換え、記憶した顔面画像を表示する。顧客Ｋが装用した眼鏡フレームＦを幾つか取り替え、同じようにして撮像を繰り返すことにより、メモリ５ａには複数の画像が記憶される。メモリ５ａに記憶された複数の静止画像は、リモコン６又はマウス等を操作することにより、モニタ４に選択的に呼び出される。また、モニタ４には呼び出した画像を一つの画面に分割表示することも可能である。顧客Ｋは、種々の眼鏡フレームＦを装用した顔の静止画像をモニタ４の画面にて見比べることができるので、眼鏡フレームＦの選別をスムーズに行うことができる。
【００１１】
また、眼鏡フレームＦを装用した顧客Ｋの顔は、偏光フィルタ８を通してテレビカメラ部２により撮像される。ここで、眼鏡フレームＦに入れられたレンズの表面に反射防止膜の処理がなされていない場合、液晶モニタ４からの照明光により、レンズ面からはその照明光の反射が生じる。レンズ面での反射は鏡面反射であるので、液晶モニタ４からの照明光の偏光特性が維持されたまま反射される。一方、その他の顔などの部分の反射は主に乱反射であるので、偏光特性が失われている。そこで、前述のように、液晶モニタ４から発せられる光の偏光軸と直交する方向の偏光軸を持つ偏光フィルタ８を配置したことにより、眼鏡フレームＦのレンズ面からの反射光のみがほぼカットされた状態で、顧客Ｋの顔がテレビカメラ部２により撮像される。これにより、自然な状態の撮像画像を得ることができる。
【００１２】
なお、偏光フィルタ８による照明光の反射の除去は、眼鏡フレームＦに限らず、コンタクトレンズを装着している場合も排除できる。また、液晶モニタ４の画面をストロボ的に発光させると、眼の眼底からの反射で赤目とよばれる現象が生じることがあるが、静止画像を得るときのモニタ４の発光に先立って、事前に画面を明るくするように制御すれば、眼の縮瞳が起きるので、赤目現象を防止することができる。
さらに、補助照明の代用とするモニタ４は、その画面表示が容易に制御できるので、次のような使い方も可能である。
【００１３】
店頭に本装置１を設置して使用する場合、被写体である顧客Ｋの照明は、昼間では日光の影響を大きく受けるが、夜間では店舗の室内照明の影響を受ける。このため、昼間と夜間では、撮影画像の色付きが変わることがある。例えば、撮像した画像の顔の色が赤く写ってしまっていたとする。このようなときには、画像の赤色を除去するために、撮像の瞬間にモニタ４の画面から発せられる光の成分の内、赤色の輝度を緑色及び青色の輝度に対して相対的に下げるように調整しておく。これは、図３のように、モニタ４に色調設定モードの画面を呼び出し、その画面に表示されたＲ，Ｇ，Ｂの色調設定のツールバー３０を、マウス等の操作により移動させることにより設定できる。また、各色のツールバー３０をマイナス側／プラス側に移動することにより、撮像の瞬間に発せられる光の全体の輝度を調整できる。こうした照明光の色調や明るさ調整により、化粧栄えするような照明とすることも容易に可能である。
【００１４】
照明光の色調や輝度の調整は、予め設定した複数の組み合わせを制御ユニット５に記憶させておき、時間帯によって選択するようにしておくと、都度の調節の手間が省けて都合が良い。さらに、外部の光量を検出するセンサを装置１に設け、その検出された光量に応じて撮像時に発光させるモニタ４の照明光量を自動的に調整するようにしても良い。
【００１５】
また、モニタ４は次のような使い方も可能である。図４のように、撮像する瞬間にモニタ４の画面にデザインした図形画像３５を表示する。例えば、青色のリング画像３５を撮像の瞬間だけ表示し、顧客Ｋの顔を照明すると、眼鏡フレームのレンズや、コンタクトレンズ、角膜等に、青色のリングが映った像を撮像でき、意図的に反射する光を演出できる。なお、この使い方の場合には、偏光フィルタ８はテレビカメラ部２の撮像光路から外しておく。
【００１６】
【発明の効果】
以上説明したように、本発明によれば、特別な照明装置を設けることなく、適切な顔面の撮像画像を容易に得ることができる。撮像の環境に応じて、照明光の色や明るさを容易に調整できる。
【図面の簡単な説明】
【図１】本発明に係る顔面撮像装置の外観略図である。
【図２】顔面撮像装置のブロック構成図である。
【図３】モニタによる照明光の色及び輝度を調整する場合の設定を説明する図である。
【図４】モニタによる照明光をデザインしたものにするときの画面例である。
【符号の説明】
１　顔面撮像装置
２　テレビカメラ部
３　透過ミラー３
４　液晶モニタ
５　制御ユニット
５ａ　メモリ
６　リモコン
８　偏光フィルタ
【図１】
2004037550.tif 000003
【図２】
2004037550.tif 000004
【図３】
2004037550.tif 000005
【図４】
2004037550.tif 000006